(57)【要約】【課題】エンジンの製造効率の向上および製造コストの低減を図るべく、カムハウジングをジャーナル軸部ごとのジャーナル支持部に分割する場合において、各ジャーナル支持部に形成する各支持孔の同軸度を容易かつ精度良く確保することができるカムハウジングの組み付け方法を提供する。【解決手段】各カムシャフト２・３を各ジャーナル支持部６・７・８・９・１０で支持しつつ、カムハウジング１１をシリンダヘッド１の取付面１ａに仮配置する工程と、各ジャーナル軸部２ａ・３ａ・・・の各外周面と、各支持孔６ａ・６ｂ・・・を、各カムシャフト２・３の設計上の軸心Ｘ１・Ｘ２に対して垂直で、かつ、シリンダヘッド１の取付面１ａに対して平行な向きに互いを押圧させる工程と、各ジャーナル軸部２ａ・３ａ・・・と各支持孔６ａ・６ｂ・・・を押圧させながら、カムハウジング１１をシリンダヘッド１に固定する工程と、を備える。【選択図】図５
2011149336.tif 000002
【特許請求の範囲】
【請求項１】
シリンダヘッドに対してカムシャフトを支持するための部品であり、前記カムシャフトの軸方向の異なる位置に形成される複数のジャーナル軸部を支持する複数のジャーナル支持部を備えるとともに、前記複数のジャーナル支持部を該複数のジャーナル支持部ごとに分割する構成のカムハウジングの組み付け方法であって、
前記カムシャフトを前記複数のジャーナル支持部に形成される前記複数の支持孔で支持しつつ、前記カムハウジングを前記シリンダヘッドの所定位置に仮配置する工程と、
前記複数のジャーナル軸部の各外周面と、
前記複数のジャーナル軸部に対応する前記複数の支持孔の各内周面を、
前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程と、
前記各外周面と前記各内周面を押圧させながら、前記カムハウジングを前記シリンダヘッドに固定する工程と、
を備える、
ことを特徴とするカムハウジングの組み付け方法。
【請求項２】
前記複数のジャーナル軸部の各外周面と、
前記複数のジャーナル軸部に対応する前記複数の支持孔の各内周面を、
前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程、
および、前記各外周面と前記各内周面を押圧させながら、前記カムハウジングを前記シリンダヘッドに固定する工程を、
前記カムシャフトを軸心回りに回転させながら行う、
ことを特徴とする請求項１に記載のカムハウジングの組み付け方法。
【請求項３】
前記複数のジャーナル軸部の各外周面と、
前記複数のジャーナル軸部に対応する前記複数の支持孔の各内周面を、
前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程において、
変位装置によって、
前記複数のジャーナル支持部を、
前記カムシャフトの設計上の軸心に対して垂直で、かつ、前記シリンダヘッドにおける前記複数のジャーナル支持部の取付面に対して平行な同じ向きに変位させて、
前記複数の支持孔の各内周面を、
前記複数のジャーナル軸部の各外周面に押圧させる、
ことを特徴とする請求項１または請求項２に記載のカムハウジングの組み付け方法。
【請求項４】
前記複数のジャーナル軸部の各外周面と、
前記複数のジャーナル軸部に対応する前記複数の支持孔の各内周面を、
前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程において、
変位装置によって、
前記カムシャフトを、
該カムシャフトの設計上の軸心に対して垂直で、かつ、前記シリンダヘッドにおける前記複数のジャーナル支持部の取付面に対して平行な方向に変位させて、
前記複数のジャーナル軸部の各外周面を、
前記複数の支持孔の各内周面に押圧させる、
ことを特徴とする請求項１または請求項２に記載のカムハウジングの組み付け方法。
【請求項５】
前記カムハウジングによって二本の前記カムシャフトを支持する構成である場合において、
第一の変位装置によって、
一方の前記カムシャフトを、
該一方のカムシャフトの設計上の軸心に対して垂直で、かつ、前記シリンダヘッドにおける前記複数のジャーナル支持部の取付面に対して平行な第一の方向に押圧するとともに、
第二の変位装置によって、
他方の前記カムシャフトを、
該他方のカムシャフトの設計上の軸心に対して垂直で、かつ、前記シリンダヘッドにおける前記複数のジャーナル支持部の取付面に対して平行な前記第一の方向と逆向きの第二の方向に押圧させる、
ことを特徴とする請求項４に記載のカムハウジングの組み付け方法。
【請求項６】
前記変位装置によって、
前記カムシャフトを、
該カムシャフトの設計上の軸心に対して垂直で、かつ、前記シリンダヘッドにおける前記複数のジャーナル支持部の取付面に対して平行な方向に往復変位させて、
前記複数のジャーナル軸部の各外周面を、
前記複数の支持孔の各内周面において相対する二方向に押圧させる、
ことを特徴とする請求項４に記載のカムハウジングの組み付け方法。
【発明の詳細な説明】
【技術分野】
【０００１】
本発明は、シリンダヘッドに対してカムシャフトを支持するための部品であるカムハウジングの組み付け方法の技術に関する。
【背景技術】
【０００２】
エンジンを構成するシリンダヘッドの上部において、カムシャフトを支持するための部品であるカムハウジングは、カムシャフトに形成される複数のジャーナル軸部を支持するための複数のジャーナル支持部を備えている。
ジャーナル支持部は、カムシャフトを下方から保持する下側のカムハウジングであるカムキャリアと、カムシャフトを上方から保持する上側のカムハウジングであるカムキャップを備えており、カムキャリアとカムキャップを一体化することによりカムハウジングを形成している。そして、カムキャリアとカムキャップの合わせ面には、対応するジャーナル軸部の外径に略一致する内径を有する孔部である支持孔が形成されている。
【０００３】
カムハウジングは、各ジャーナル支持部に形成される各支持孔の同軸度を確保する必要があるため、各カムキャリアを一体の部品として構成するのが一般的である。
このため従来、カムハウジング（特にカムキャリア）は比較的大型の部品として鋳造等により製造される場合が多かった。
【０００４】
一方近年では、製造効率の向上および製造コストの低減を図るべく、ジャーナル支持部を対応するジャーナル軸部ごとに分割する構成のカムハウジングが検討されるようになっている。
ジャーナル支持部を分割する構成とすることによって、比較的小型の部品を複数まとめて製造することが可能になるため、製造効率の向上および製造コストの低減が見込まれる。
【０００５】
しかしながら、ジャーナル支持部を対応するジャーナル軸部ごとに分割する構成では、各ジャーナル支持部に形成される各支持孔の同軸度を確保することが困難であるという問題があった。
各支持孔の同軸度が悪化すると、摩擦損失が増大し、エンジン効率低下や異音の発生等の問題が発生するため好ましくなく、分割したジャーナル支持部の各支持孔の同軸度を確実に確保する技術の開発が望まれている状況であった。
【０００６】
そこで、ジャーナル支持部を対応するジャーナル軸部ごとに分割する構成において、各ジャーナル支持部に形成される各支持孔の同軸度を確保するための技術が種々検討されており、例えば、以下に示す特許文献１にその技術が開示され公知となっている。
【０００７】
特許文献１に開示されている従来技術では、カムシャフトをジャーナル軸部ごとに独立した複数組みのカムキャリアおよびカムキャップを介してシリンダヘッドに組み付けるカムシャフトの組み付け方法において、前記複数のカムキャリアに跨る長さで、前記ジャーナル軸部に相当する部位の嵌合部の軸径が、該ジャーナル軸部の軸径より太いシャフト状治具を用意し、該シャフト状治具を、前記複数組みのカムキャリアを介して前記シリンダヘッドに取り付けて前記複数のカムキャリアを所定位置に位置決めしている。
【０００８】
また、特許文献１に開示されている従来技術では、カムシャフトをジャーナル軸部ごとに独立した複数組みのカムキャリアおよびカムキャップを介してシリンダヘッドに組み付けるカムシャフトの組み付け方法において、前記カムシャフトが、前記シャフト状治具を兼ね、前記カムシャフトには、前記カムキャリアおよびカムキャップの軸受部に保持されるジャーナル支持部が設けられるとともに、該ジャーナル支持部に隣接して該ジャーナ支持部より太い嵌合部が設けられ、前記カムキャリアおよびカムキャップには、前記軸受部に隣接して前記嵌合部が嵌合される被嵌合部が設けられ、前記ジャーナル軸部の外面と前記支持部の内面とのクリアランスより、前記嵌合部外面と前記被嵌合部内面のクリアランスが小さく構成され、前記カムシャフト嵌合部を前記カムキャリアおよびカムキャップ被嵌合部に嵌合させて、該カムシャフトを前記カムキャリアおよびカムキャップを介して、前記シリンダヘッドに取り付け、その後、該カムシャフトを軸方向に所定量スライドさせて、前記嵌合部を前記被嵌合部から離脱させ、この状態で、スライド規制部材を取り付けることにより、前記カムシャフトのスライドを規制するようにしている。
【先行技術文献】
【特許文献】
【０００９】
【特許文献１】国際公開第２００６／１３２２５５号
【発明の概要】
【発明が解決しようとする課題】
【００１０】
特許文献１に開示されている従来技術では、各支持孔の同軸度を確保することが可能となっているが、ダミーシャフトを用いてカムキャリアおよびカムキャップを取り付けてから、本来のカムシャフトに置換する作業が必要となり、組み付け作業の効率化を図ることが困難であった。また、ダミーシャフトを用いない場合においても、カムシャフトに本来不要である拡径部を設ける加工を施したり、あるいは、スライド規制部材を設けたりする必要があるため、組み付け作業の効率化を図ることが困難であった。
【００１１】
本発明は、係る現状の課題を鑑みてなされたものであり、エンジンの製造効率の向上および製造コストの低減を図るべく、カムハウジングをジャーナル軸部ごとのジャーナル支持部に分割する場合において、各ジャーナル支持部に形成する各支持孔の同軸度を容易かつ精度良く確保することができるカムハウジングの組み付け方法を提供することを目的としている。
【課題を解決するための手段】
【００１２】
本発明の解決しようとする課題は以上の如くであり、次にこの課題を解決するための手段を説明する。
【００１３】
即ち、請求項１においては、シリンダヘッドに対してカムシャフトを支持するための部品であり、前記カムシャフトの軸方向の異なる位置に形成される複数のジャーナル軸部を支持する複数のジャーナル支持部を備えるとともに、前記複数のジャーナル支持部を該複数のジャーナル支持部ごとに分割する構成のカムハウジングの組み付け方法であって、前記カムシャフトを前記複数のジャーナル支持部に形成される前記複数の支持孔で支持しつつ、前記カムハウジングを前記シリンダヘッドの所定位置に仮配置する工程と、前記複数のジャーナル軸部の各外周面と、前記複数のジャーナル軸部に対応する前記複数の支持孔の各内周面を、前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程と、前記各外周面と前記各内周面を押圧させながら、前記カムハウジングを前記シリンダヘッドに固定する工程と、を備えるものである。
【００１４】
請求項２においては、前記複数のジャーナル軸部の各外周面と、前記複数のジャーナル軸部に対応する前記複数の支持孔の各内周面を、前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程、および、前記各外周面と前記各内周面を押圧させながら、前記カムハウジングを前記シリンダヘッドに固定する工程を、前記カムシャフトを軸心回りに回転させながら行うものである。
【００１５】
請求項３においては、前記複数のジャーナル軸部の各外周面と、前記複数のジャーナル軸部に対応する前記複数の支持孔の各内周面を、前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程において、変位装置によって、前記複数のジャーナル支持部を、前記カムシャフトの設計上の軸心に対して垂直で、かつ、前記シリンダヘッドにおける前記複数のジャーナル支持部の取付面に対して平行な同じ向きに変位させて、前記複数の支持孔の各内周面を、前記複数のジャーナル軸部の各外周面に押圧させるものである。
【００１６】
請求項４においては、前記複数のジャーナル軸部の各外周面と、前記複数のジャーナル軸部に対応する前記複数の支持孔の各内周面を、前記シリンダヘッドに対して設定される前記カムシャフトの設計上の軸心に対して垂直で、かつ、前記シリンダヘッドにおける前記複数のジャーナル支持部の取付面に対して平行な向きに互いを押圧させる工程において、変位装置によって、前記カムシャフトを、該カムシャフトの設計上の軸心に対して垂直で、かつ、前記シリンダヘッドにおける前記複数のジャーナル支持部の取付面に対して平行な方向に変位させて、前記複数のジャーナル軸部の各外周面を、前記複数の支持孔の各内周面に押圧させるものである。
【００１７】
請求項５においては、前記カムハウジングによって二本の前記カムシャフトを支持する構成である場合において、第一の変位装置によって、一方の前記カムシャフトを、該一方のカムシャフトの設計上の軸心に対して垂直で、かつ、前記シリンダヘッドにおける前記複数のジャーナル支持部の取付面に対して平行な第一の方向に押圧するとともに、第二の変位装置によって、他方の前記カムシャフトを、該他方のカムシャフトの設計上の軸心に対して垂直で、かつ、前記シリンダヘッドにおける前記複数のジャーナル支持部の取付面に対して平行な前記第一の方向と逆向きの第二の方向に押圧させるものである。
【００１８】
請求項６においては、前記変位装置によって、前記カムシャフトを、該カムシャフトの設計上の軸心に対して垂直で、かつ、前記シリンダヘッドにおける前記複数のジャーナル支持部の取付面に対して平行な方向に往復変位させて、前記複数のジャーナル軸部の各外周面を、前記複数の支持孔の各内周面において相対する二方向に押圧させるものである。
【発明の効果】
【００１９】
本発明の効果として、以下に示すような効果を奏する。
【００２０】
請求項１においては、各ジャーナル支持部がカムシャフトの軸心に直交する平面に対して傾斜した状態でシリンダヘッドに組み付けられることが防止でき、各ジャーナル支持部の支持孔の同軸度を確保することができる。
【００２１】
請求項２においては、回転するカムシャフトの調心作用により、より確実に、各ジャーナル支持部の支持孔の同軸度を確保することができる。
【００２２】
請求項３においては、簡易な変位装置を用いて、各ジャーナル支持部の支持孔の同軸度を確保することができる。
【００２３】
請求項４においては、簡易な変位装置を用いて、各ジャーナル支持部の支持孔の同軸度を確保することができる。
【００２４】
請求項５においては、簡易な変位装置を用いて、より確実に、各ジャーナル支持部の支持孔の同軸度を確保することができる。
【００２５】
請求項６においては、簡易な変位装置を用いて、より確実に、各ジャーナル支持部の支持孔の同軸度を確保することができる。
【図面の簡単な説明】
【００２６】
【図１】本発明に係るカムハウジングの組み付け方法を適用するカムハウジングの一例を含むエンジンのシリンダヘッド部分を示す斜視模式図。
【図２】本発明に係るカムハウジングの組み付け方法を適用するカムシャフトの一例を示す斜視模式図。
【図３】本発明に係るカムハウジングの組み付け方法を適用するカムハウジングの一例を示す斜視模式図。
【図４】本発明に係るカムハウジングの組み付け方法を適用したカムハウジングの組み付け状態の一例を示す模式図、（ａ）平面模式図、（ｂ）Ａ−Ａ断面模式図。
【図５】本発明の第一の実施形態に係るカムハウジングの組み付け方法の流れを示すフロー図。
【図６】本発明の第一の実施形態に係るカムハウジングの組み付け方法におけるジャーナル支持部によるジャーナル軸部の支持状態を示す模式図、（ａ）平面模式図、（ｂ）Ｂ−Ｂ断面模式図。
【図７】本発明の第二の実施形態に係るカムハウジングの組み付け方法の流れを示すフロー図。
【図８】本発明の第二の実施形態に係るカムハウジングの組み付け方法におけるジャーナル支持部によるジャーナル軸部の支持状態を示す模式図、（ａ）平面模式図、（ｂ）Ｃ−Ｃ断面模式図。
【図９】本発明の第三の実施形態に係るカムハウジングの組み付け方法の流れを示すフロー図。
【図１０】本発明の第三の実施形態に係るカムハウジングの組み付け方法（各カムシャフトを相対する外側に変位させる場合）におけるジャーナル支持部によるジャーナル軸部の支持状態を示す模式図、（ａ）平面模式図、（ｂ）Ｄ−Ｄ断面模式図。
【図１１】本発明の第三の実施形態に係るカムハウジングの組み付け方法（各カムシャフトを相対する内側に変位させる場合）におけるジャーナル支持部によるジャーナル軸部の支持状態を示す模式図、（ａ）平面模式図、（ｂ）Ｅ−Ｅ断面模式図。
【図１２】本発明の第三の実施形態に係るカムハウジングの組み付け方法（各カムシャフトを往復変位させる場合）におけるジャーナル支持部によるジャーナル軸部の支持状態を示す模式図、（ａ）平面模式図、（ｂ）Ｆ−Ｆ断面模式図。
【発明を実施するための形態】
【００２７】
次に、発明の実施の形態を説明する。
まず始めに、本発明に係るカムハウジングの組み付け方法を適用するエンジンのシリンダヘッド部分の構成について、図１〜図３を用いて説明をする。尚、本実施形態では、２本のカムシャフトを備える４気筒のエンジンを例示して説明をするが、本発明を適用するエンジンの構成をこれに限定するものではない。
【００２８】
図１に示す如く、本発明に係るカムハウジングの組み付け方法を適用するエンジンを構成するシリンダヘッドの一例であるシリンダヘッド１の上部には、排気弁を駆動するための第一の動弁機構を構成する第一のカムシャフトである第一カムシャフト２と、吸気弁を駆動するための第二の動弁機構を構成する第二のカムシャフトである第二カムシャフト３と、各カムシャフト２・３を支持するための部品であるカムキャリア４およびカムキャップ５により構成するカムハウジング１１を備えている。
【００２９】
図２に示す如く、第一カムシャフト２には、第一〜第五の複数のジャーナル軸部２ａ・２ｂ・２ｃ・２ｄ・２ｅを形成しており、第一ジャーナル軸部２ａを、その他の第二〜第五ジャーナル軸部２ｂ・２ｃ・２ｄ・２ｅに比して大きい外径で形成する構成としている。
また同様に、第二カムシャフト３には、第一〜第五の複数のジャーナル軸部３ａ・３ｂ・３ｃ・３ｄ・３ｅを形成しており、第一ジャーナル軸部３ａを、その他の第二〜第五ジャーナル軸部３ｂ・３ｃ・３ｄ・３ｅに比して大きい外径で形成する構成としている。
【００３０】
図１および図３に示す如く、カムキャリア４は、シリンダヘッド１の上部において、各カムシャフト２・３の平行を保持しつつ回転可能に支持するための部品であるカムハウジング１１のうち下側のカムハウジングを形成する部品であり、複数の独立した第一〜第五カムキャリア４ａ・４ｂ・４ｃ・４ｄ・４ｅによって構成されている。
尚、本実施形態では、第二〜第五の各カムキャリア４ｂ・４ｃ・４ｄ・４ｅは、全て同一部材としており、製造効率の向上および製造コストの低減により有利な構成としている。
【００３１】
また、カムキャップ５は、シリンダヘッド１の上部において、各カムシャフト２・３の平行を保持しつつ回転可能に支持するための部品であるカムハウジング１１のうち上側のカムハウジングを形成する部品であり、複数の独立した第一〜第五カムキャップ５ａ・５ｂ・５ｃ・５ｄ・５ｅによって構成されている。
尚、本実施形態では、第二〜第五の各カムキャップ５ｂ・５ｃ・５ｄ・５ｅは、全て同一部材としており、製造効率の向上および製造コストの低減により有利な構成としている。
【００３２】
そして、図３に示す如く、対応する各カムキャリア４ａ・４ｂ・４ｃ・４ｄ・４ｅと各カムキャップ５ａ・５ｂ・５ｃ・５ｄ・５ｅを一体化することによって、複数のジャーナル支持部６・７・８・９・１０を形成する構成としている。
【００３３】
第一ジャーナル支持部６は、第一カムキャリア４ａと第一カムキャップ５ａを、ボルトを用いて締結することに形成される。そして、各部材４ａ・５ａの合わせ面において、各カムシャフト２・３の各第一ジャーナル軸部２ａ・３ａを支持するための孔部である二つの支持孔６ａ・６ｂを形成している。
各支持孔６ａ・６ｂは、対応する各第一ジャーナル軸部２ａ・３ａの外径に略一致する（但し、やや大きい）内径に形成されている。
【００３４】
第二ジャーナル支持部７は、第二カムキャリア４ｂと第二カムキャップ５ｂを、ボルトを用いて締結することに形成される。そして、各部材４ｂ・５ｂの合わせ面において、各カムシャフト２・３の各第二ジャーナル軸部２ｂ・３ｂを支持するための孔部である二つの支持孔７ａ・７ｂを形成している。
各支持孔７ａ・７ｂは、対応する各第二ジャーナル軸部２ｂ・３ｂの外径に略一致する（但し、やや大きい）内径に形成されている。
【００３５】
第三ジャーナル支持部８は、第三カムキャリア４ｃと第三カムキャップ５ｃを、ボルトを用いて締結することに形成される。そして、各部材４ｃ・５ｃの合わせ面において、各カムシャフト２・３の各第三ジャーナル軸部２ｃ・３ｃを支持するための孔部である二つの支持孔８ａ・８ｂを形成している。
各支持孔８ａ・８ｂは、対応する各第三ジャーナル軸部２ｃ・３ｃの外径に略一致する（但し、やや大きい）内径に形成されている。
【００３６】
第四ジャーナル支持部９は、第四カムキャリア４ｄと第四カムキャップ５ｄを、ボルトを用いて締結することに形成される。そして、各部材４ｄ・５ｄの合わせ面において、各カムシャフト２・３の各第四ジャーナル軸部２ｄ・３ｄを支持するための孔部である二つの支持孔９ａ・９ｂを形成している。
各支持孔９ａ・９ｂは、対応する各第四ジャーナル軸部２ｄ・３ｄの外径に略一致する（但し、やや大きい）内径に形成されている。
【００３７】
第五ジャーナル支持部１０は、第五カムキャリア４ｅと第五カムキャップ５ｅを、ボルトを用いて締結することに形成される。そして、各部材４ｅ・５ｅの合わせ面において、各カムシャフト２・３の各第五ジャーナル軸部２ｅ・３ｅを支持するための孔部である二つの支持孔１０ａ・１０ｂを形成している。
各支持孔１０ａ・１０ｂは、対応する各第五ジャーナル軸部２ｅ・３ｅの外径に略一致する（但し、やや大きい）内径に形成されている。
【００３８】
そして、このような独立した複数の各ジャーナル支持部６・７・８・９・１０によって、シリンダヘッド１の上部において、各カムシャフト２・３の平行を保持しつつ回転可能に支持するための部品であるカムハウジング１１を形成する構成としている。
各ジャーナル支持部６・７・８・９・１０は、シリンダヘッド１上面のそれぞれの所定位置に配置され、ボルトを用いて締結することによって固定される。
尚、本実施形態では、第二〜第五の各ジャーナル支持部７・８・９・１０は、全て同一の構成としており、製造効率の向上および製造コストの低減により有利な構成としている。
【００３９】
尚、本実施形態では、各ジャーナル支持部６・７・８・９・１０において、それぞれ二つの各支持孔６ａ・６ｂ、７ａ・７ｂ、８ａ・８ｂ、９ａ・９ｂ、１０ａ・１０ｂを形成しており、二本の各カムシャフト２・３をまとめて支持する態様のカムハウジング１１を例示して説明をしているが、一つのジャーナル支持部において、一つの支持孔のみが形成されており、一本のカムシャフトのみを支持する構成のカムハウジングに対して、本発明を適用することも可能であり、本発明を適用するカムハウジングによって支持するカムシャフトの本数をこれに限定するものではない。
【００４０】
次に、本発明に係るカムハウジングの組み付け方法について、図４〜図１２を用いて説明をする。尚、以下の説明で用いる各図は、説明の便宜上、平面図においてカムキャップ５を透過して各カムシャフト２・３が視認できる態様として図示している。
【００４１】
図４（ａ）（ｂ）に示す如く、カムハウジング１１によって第一カムシャフト２を支持している状態において、各支持孔６ａ・７ａ・８ａ・９ａ・１０ａと各ジャーナル軸部２ａ・２ｂ・２ｃ・２ｄ・２ｅの間には、所定のクリアランス（隙間）を設定している。
第一カムシャフト２のシリンダヘッド１に対する設計上の配置位置における軸心は、軸心Ｘ１として設定されており、各支持孔６ａ・７ａ・８ａ・９ａ・１０ａの軸心もこの軸心Ｘ１に略一致するように設定される。
【００４２】
また同様に、カムハウジング１１によってカムシャフト３を支持している状態において、各支持孔６ｂ・７ｂ・８ｂ・９ｂ・１０ｂと各ジャーナル軸部３ａ・３ｂ・３ｃ・３ｄ・３ｅの間には、所定のクリアランス（隙間）を設定している。
カムシャフト３のシリンダヘッド１に対する設計上の配置位置における軸心は、軸心Ｘ２として設定されており、各支持孔６ｂ・７ｂ・８ｂ・９ｂ・１０ｂの軸心もこの軸心Ｘ２に略一致するように設定される。
【００４３】
本発明の適用に係るカムハウジング１１は、独立した複数の各ジャーナル支持部６・７・８・９・１０によって構成しているため、各ジャーナル支持部６・７・８・９・１０は各カムシャフト２・３に対してクリアランスの範囲でそれぞれ個別に変位することが許容されている。
このため、シリンダヘッド１に対して各ジャーナル支持部６・７・８・９・１０を成り行きで組み付けていくと、平面視において、各ジャーナル支持部６・７・８・９・１０が互いに平行でない状態で組み付けられてしまう。このため、独立した複数の各ジャーナル支持部６・７・８・９・１０によって構成するカムハウジング１１では、各支持孔６ａ・７ａ・８ａ・９ａ・１０ａの同軸度および各支持孔６ｂ・７ｂ・８ｂ・９ｂ・１０ｂの同軸度を確保することが困難となっていた。
そこで、カムハウジング１１に本発明に係るカムハウジングの組み付け方法を適用することによって、各支持孔６ａ・７ａ・８ａ・９ａ・１０ａの同軸度および各支持孔６ｂ・７ｂ・８ｂ・９ｂ・１０ｂの同軸度を容易に確保することが可能になる。
【００４４】
まず、本発明の第一の実施形態に係るカムハウジングの組み付け方法について、図５および図６を用いて説明をする。
本発明の第一の実施形態に係るカムハウジングの組み付け方法では、カムハウジング１１の組み付け工程において、カムハウジング１１を所定の方向に変位させることができる変位装置と、各カムシャフト２・３を所定の軸心方向とした状態で保持することができる保持装置を使用する構成としている。
【００４５】
（シリンダヘッド仮配置工程）
図５に示す如く、本発明の第一の実施形態に係るカムハウジングの組み付け方法では、まず始めに、各ジャーナル支持部６・７・８・９・１０の各支持孔６ａ・６ｂ、７ａ・７ｂ、８ａ・８ｂ、９ａ・９ｂ、１０ａ・１０ｂにおいて、各カムシャフト２・３の各ジャーナル軸部２ａ・３ａ、２ｂ・３ｂ、２ｃ・３ｃ、２ｄ・３ｄ、２ｅ・３ｅを支持しつつ、カムハウジング１１をシリンダヘッド１の取付面１ａの所定位置に仮配置する（ＳＴＥＰ−１０１）。
尚、ここで言う仮配置とは、シリンダヘッド１に対してカムハウジング１１を固定するためのボルトを弛めた状態であり、ボルトとボルト孔との間に設定されたクリアランスの範囲で、シリンダヘッド１に対してカムハウジング１１が変位可能な状態で所定の位置に配置されることを意味している。
【００４６】
（カムシャフト保持工程）
次に、図６（ａ）に示す如く、各カムシャフト２・３を、保持装置１３・１４によって保持させる（ＳＴＥＰ−１０２）。
保持装置１３は、第一カムシャフト２を設計上の軸心Ｘ１に対して平行に保持することができる装置であり、第一カムシャフト２を保持するためのチャック１３ａを備えるものである。
また同様に、保持装置１４は、第二カムシャフト３を設計上の軸心Ｘ２に対して平行に保持することができる装置であり、第二カムシャフト３を保持するためのチャック１４ａを備えるものである。
【００４７】
そして、各保持装置１３・１４によって、各カムシャフト２・３を各チャック１３ａ・１４ａによって保持することによって、各カムシャフト２・３を、設計上の軸心Ｘ１・Ｘ２に対して平行に（即ち、各支持孔６ａ・６ｂ、７ａ・７ｂ、８ａ・８ｂ、９ａ・９ｂ、１０ａ・１０ｂの所望する軸心方向に対して平行に）保持することができる構成としている。また、各保持装置１３・１４によって、各カムシャフト２・３を各チャック１３ａ・１４ａによって保持するときの各カムシャフト２・３の軸間距離は、設計上の軸心Ｘ１・Ｘ２の軸間距離に一致させるのが望ましい。
尚、本実施形態では、各カムシャフト２・３に対応する各保持装置１３・１４を備える構成としているが、保持装置をいずれか一方のカムシャフトに対してのみ（即ち、保持装置１３か保持装置１４のいずれか一方）備える構成とすることも可能である。
【００４８】
（押圧工程）
次に、各保持装置１３・１４によって、各カムシャフト２・３を、各支持孔６ａ・６ｂ、７ａ・７ｂ、８ａ・８ｂ、９ａ・９ｂ、１０ａ・１０ｂの所望する軸心方向に対して平行に保持した状態で、変位装置１５によって、各ジャーナル支持部６・７・８・９・１０（即ち、カムハウジング１１）を、各カムシャフト２・３の設計上の各軸心Ｘ１・Ｘ２に対して垂直で、かつ、シリンダヘッド１におけるカムハウジング１１の取付面１ａに平行な向きに変位させる（ＳＴＥＰ−１０３）。
【００４９】
このときの各ジャーナル支持部６・７・８・９・１０の変位量は、各カムシャフト２・３と各支持孔６ａ・６ｂ、７ａ・７ｂ、８ａ・８ｂ、９ａ・９ｂ、１０ａ・１０ｂの間で設定しているクリアランスの量以上としている。
【００５０】
変位装置１５は、各ジャーナル支持部６・７・８・９・１０を各カムシャフト２・３の設計上の軸心Ｘ１・Ｘ２に対して垂直な方向に押圧して変位させることができる装置であり、例えば、往復方向に変位する部位を備える装置（例えば、アクチュエータや油圧シリンダ等）によって構成することができる。
【００５１】
これにより、図６（ｂ）に示す如く、各支持孔６ａ・６ｂ、７ａ・７ｂ、８ａ・８ｂ、９ａ・９ｂ、１０ａ・１０ｂの各内周面によって、対応する各ジャーナル軸部２ａ・３ａ、２ｂ・３ｂ、２ｃ・３ｃ、２ｄ・３ｄ、２ｅ・３ｅを、各カムシャフト２・３の設計上の軸心Ｘ１・Ｘ２に対して垂直な方向で、かつ、シリンダヘッド１におけるカムハウジング１１の取付面１ａに平行な方向に押圧させることができる。
【００５２】
このとき、各支持孔６ａ・６ｂ、７ａ・７ｂ、８ａ・８ｂ、９ａ・９ｂ、１０ａ・１０ｂの各内周面は、対応する各ジャーナル軸部２ａ・３ａ、２ｂ・３ｂ、２ｃ・３ｃ、２ｄ・３ｄ、２ｅ・３ｅの各外周面に沿うようになるため、平面視における各ジャーナル支持部６・７・８・９・１０の角度が、各カムシャフト２・３の設計上の軸心Ｘ１・Ｘ２と各支持孔６ａ・６ｂ、７ａ・７ｂ、８ａ・８ｂ、９ａ・９ｂ、１０ａ・１０ｂの軸心が略平行となるように修正される。
これにより、各支持孔６ａ・７ａ・８ａ・９ａ・１０ａの同軸度および各支持孔６ｂ・７ｂ・８ｂ・９ｂ・１０ｂの同軸度を確保することができる。
【００５３】
尚、本実施形態において示すシリンダヘッド１（エンジン）は、水平方向に取付面１ａが形成されている場合を例示しているが、本発明の適用に係るエンジンの構成をこれに限定するものではなく、例えば、取付面１ａが水平方向に対して傾斜している場合（例えば、所謂Ｖ型エンジンである場合等）であっても、取付面１ａを基準として、その取付面１ａに対して平行に各ジャーナル支持部６・７・８・９・１０を押圧することによって、本発明に係るカムハウジングの組み付け方法を適用することができる。
【００５４】
（シリンダヘッド固定工程）
そして、図５に示す如く、各支持孔６ａ・６ｂ、７ａ・７ｂ、８ａ・８ｂ、９ａ・９ｂ、１０ａ・１０ｂの各内周面によって、対応する各ジャーナル軸部２ａ・３ａ、２ｂ・３ｂ、２ｃ・３ｃ、２ｄ・３ｄ、２ｅ・３ｅの各外周面を各カムシャフト２・３の設計上の軸心Ｘ１・Ｘ２に対して垂直な方向に押圧した状態（即ち、各支持孔６ａ・７ａ・８ａ・９ａ・１０ａの同軸度および各支持孔６ｂ・７ｂ・８ｂ・９ｂ・１０ｂの同軸度を確保した状態）でボルト等を締結することにより、各ジャーナル支持部６・７・８・９・１０をシリンダヘッド１に対して固定して、カムハウジング１１の組み付け工程を完了する（ＳＴＥＰ−１０４）。
【００５５】
即ち、本発明の第一の実施形態に係るカムハウジングの組み付け方法においては、各ジャーナル軸部２ａ・３ａ、２ｂ・３ｂ、２ｃ・３ｃ、２ｄ・３ｄ、２ｅ・３ｅの各外周面と、各ジャーナル軸部２ａ・３ａ、２ｂ・３ｂ、２ｃ・３ｃ、２ｄ・３ｄ、２ｅ・３ｅに対応する各支持孔６ａ・６ｂ、７ａ・７ｂ、８ａ・８ｂ、９ａ・９ｂ、１０ａ・１０ｂの各内周面を、各カムシャフト２・３の設計上の軸心Ｘ１・Ｘ２に対して垂直で、かつ、シリンダヘッド１における各ジャーナル支持部６・７・８・９・１０の取付面１ａに対して平行な向きに互いを押圧させる工程（即ち、押圧工程）において、各ジャーナル支持部６・７・８・９・１０を、各カムシャフト２・３の軸心Ｘ１・Ｘ２に対して垂直で、かつ、シリンダヘッド１における各ジャーナル支持部６・７・８・９・１０の取付面１ａに対して平行な同じ向きに変位させて、各支持孔６ａ・６ｂ、７ａ・７ｂ、８ａ・８ｂ、９ａ・９ｂ、１０ａ・１０ｂの各内周面を、前記各ジャーナル軸部２ａ・３ａ、２ｂ・３ｂ、２ｃ・３ｃ、２ｄ・３ｄ、２ｅ・３ｅに押圧させるものである。
このような構成により、簡易な変位装置１５を用いて、各支持孔６ａ・７ａ・８ａ・９ａ・１０ａの同軸度および各支持孔６ｂ・７ｂ・８ｂ・９ｂ・１０ｂの同軸度を確保することができる。
【００５６】
次に、本発明の第二の実施形態に係るカムハウジングの組み付け方法について、図７および図８を用いて説明をする。
本発明の第二の実施形態に係るカムハウジングの組み付け方法では、カムハウジング１１の組み付け工程において、カムハウジング１１を所定の方向に変位させることができる変位装置と、各カムシャフト２・３を軸心回りに回転させることができる保持装置を使用する構成としている。
【００５７】
（シリンダヘッド仮配置工程）
図７に示す如く、本発明の第二の実施形態に係るカムハウジングの組み付け方法では、まず始めに、各ジャーナル支持部６・７・８・９・１０の各支持孔６ａ・６ｂ、７ａ・７ｂ、８ａ・８ｂ、９ａ・９ｂ、１０ａ・１０ｂにおいて、各カムシャフト２・３の各ジャーナル軸部２ａ・３ａ、２ｂ・３ｂ、２ｃ・３ｃ、２ｄ・３ｄ、２ｅ・３ｅを支持しつつ、カムハウジング１１をシリンダヘッド１の取付面１ａの所定位置に仮配置する（ＳＴＥＰ−２０１）。
【００５８】
（カムシャフト保持工程）
次に、図８（ａ）に示すように、各カムシャフト２・３を、保持装置１６・１７によって保持させる（ＳＴＥＰ−２０２）。
保持装置１６は、第一カムシャフト２を設計上の軸心Ｘ１に対して平行に保持するとともに、第一カムシャフト２を軸心回りに回転させることができる装置であり、第一カムシャフト２を保持するためのチャック１６ａと、設計上の軸心Ｘ１に対して平行な駆動軸１６ｂを備えるものである。
また同様に、保持装置１７は、第二カムシャフト３を設計上の軸心Ｘ２に対して平行に保持するとともに、第二カムシャフト３を軸心回りに回転させることができる装置であり、第一カムシャフト２を保持するためのチャック１７ａと、設計上の軸心Ｘ２に対して平行な駆動軸１７ｂを備えるものである。
【００５９】
そして、各保持装置１６・１７によって、各カムシャフト２・３を各チャック１６ａ・１７ａによって保持した状態で、各駆動軸１６ｂ・１７ｂを回転させることにより、各カムシャフト２・３を、設計上の軸心Ｘ１・Ｘ２に対して平行（即ち、各支持孔６ａ・６ｂ、７ａ・７ｂ、８ａ・８ｂ、９ａ・９ｂ、１０ａ・１０ｂの所望する軸心方向に対して平行）な軸心回りに各カムシャフト２・３を回転させつつ、保持することができる構成としている。
尚、本実施形態では、各カムシャフト２・３に対応する各保持装置１６・１７を備える構成としているが、保持装置をいずれか一方のカムシャフトに対してのみ（即ち、保持装置１６か保持装置１７のいずれか一方）備える構成とすることも可能である。
【００６０】
（押圧工程）
次に、各保持装置１６・１７によって、各カムシャフト２・３を、各支持孔６ａ・６ｂ、７ａ・７ｂ、８ａ・８ｂ、９ａ・９ｂ、１０ａ・１０ｂの所望する軸心に対して平行な軸心回りに回転させつつ保持した状態で、変位装置１５によって、各ジャーナル支持部６・７・８・９・１０（即ち、カムハウジング１１）を、各カムシャフト２・３の設計上の軸心Ｘ１・Ｘ２に対して垂直で、かつ、シリンダヘッド１におけるカムハウジング１１の取付面１ａに平行な向きに変位させる（ＳＴＥＰ−２０３）。
【００６１】
このときの各ジャーナル支持部６・７・８・９・１０の変位量は、各カムシャフト２・３と各支持孔６ａ・６ｂ、７ａ・７ｂ、８ａ・８ｂ、９ａ・９ｂ、１０ａ・１０ｂの間で設定しているクリアランスの量以上としている。
【００６２】
これにより、図８（ｂ）に示す如く、各支持孔６ａ・６ｂ、７ａ・７ｂ、８ａ・８ｂ、９ａ・９ｂ、１０ａ・１０ｂの各内周面によって、対応する各ジャーナル軸部２ａ・３ａ、２ｂ・３ｂ、２ｃ・３ｃ、２ｄ・３ｄ、２ｅ・３ｅを、各カムシャフト２・３の設計上の軸心Ｘ１・Ｘ２に対して垂直な方向で、かつ、シリンダヘッド１におけるカムハウジング１１の取付面１ａに平行な方向に押圧させることができる。
【００６３】
このとき、各支持孔６ａ・６ｂ、７ａ・７ｂ、８ａ・８ｂ、９ａ・９ｂ、１０ａ・１０ｂの各内周面は、対応する各ジャーナル軸部２ａ・３ａ、２ｂ・３ｂ、２ｃ・３ｃ、２ｄ・３ｄ、２ｅ・３ｅの各外周面に沿うようになるため、平面視における各ジャーナル支持部６・７・８・９・１０の角度が、各カムシャフト２・３の軸心Ｘ１・Ｘ２と各支持孔６ａ・６ｂ、７ａ・７ｂ、８ａ・８ｂ、９ａ・９ｂ、１０ａ・１０ｂの軸心が略平行となるように修正される。
【００６４】
さらに本実施形態では、各支持孔６ａ・６ｂ、７ａ・７ｂ、８ａ・８ｂ、９ａ・９ｂ、１０ａ・１０ｂの各内周面によって、対応する各ジャーナル軸部２ａ・３ａ、２ｂ・３ｂ、２ｃ・３ｃ、２ｄ・３ｄ、２ｅ・３ｅを押圧するときに、各カムシャフト２・３を軸心回りに回転させた状態としている。
このため、各カムシャフト２・３による調心作用が生じて、より確実に、各カムシャフト２・３の軸心Ｘ１・Ｘ２に対する各ジャーナル支持部６・７・８・９・１０の角度を、各カムシャフト２・３の軸心Ｘ１・Ｘ２と各支持孔６ａ・６ｂ、７ａ・７ｂ、８ａ・８ｂ、９ａ・９ｂ、１０ａ・１０ｂの軸心が略平行となるように修正することができる。
これにより、各支持孔６ａ・７ａ・８ａ・９ａ・１０ａの同軸度および各支持孔６ｂ・７ｂ・８ｂ・９ｂ・１０ｂの同軸度が、より確実に確保することができる。
【００６５】
（シリンダヘッド固定工程）
そして、図７に示す如く、各支持孔６ａ・６ｂ、７ａ・７ｂ、８ａ・８ｂ、９ａ・９ｂ、１０ａ・１０ｂの各内周面によって、対応する各ジャーナル軸部２ａ・３ａ、２ｂ・３ｂ、２ｃ・３ｃ、２ｄ・３ｄ、２ｅ・３ｅの各外周面を各カムシャフト２・３の設計上の軸心Ｘ１・Ｘ２に対して垂直な方向に押圧した状態（即ち、各支持孔６ａ・７ａ・８ａ・９ａ・１０ａの同軸度および各支持孔６ｂ・７ｂ・８ｂ・９ｂ・１０ｂの同軸度を確保した状態）でボルト等を締結することにより、各ジャーナル支持部６・７・８・９・１０をシリンダヘッド１に対して固定して、カムハウジング１１の組み付け工程を完了する（ＳＴＥＰ−２０４）。
【００６６】
即ち、本発明の第二の実施形態に係るカムハウジングの組み付け方法においては、押圧工程、および、シリンダヘッド固定工程を、各カムシャフト２・３を回転させながら行うものである。
このような構成により、回転する各カムシャフト２・３の調心作用により、より確実に、各支持孔６ａ・７ａ・８ａ・９ａ・１０ａの同軸度および各支持孔６ｂ・７ｂ・８ｂ・９ｂ・１０ｂの同軸度を確保することができる。
【００６７】
尚、本実施形態では、変位装置１５によって、カムハウジング１１を一方向に変位させる態様としているが、変位装置１５によって、カムハウジング１１を往復変位させる構成として、各カムシャフト２・３を回転させるとともに、カムハウジング１１を往復変位させつつ、シリンダヘッド１にカムハウジング１１を組み付けることも可能である。
【００６８】
次に、本発明の第三の実施形態に係るカムハウジングの組み付け方法について、図９〜図１２を用いて説明をする。
本発明の第三の実施形態に係るカムハウジングの組み付け方法では、二本の各カムシャフト２・３を支持するカムハウジング１１の組み付け工程において、各カムシャフト２・３を変位させることができる保持装置のみを使用する構成としている。
【００６９】
（シリンダヘッド仮配置工程）
図９に示す如く、本発明の第三の実施形態に係るカムハウジングの組み付け方法では、まず始めに、各ジャーナル支持部６・７・８・９・１０の各支持孔６ａ・６ｂ、７ａ・７ｂ、８ａ・８ｂ、９ａ・９ｂ、１０ａ・１０ｂにおいて、二本の各カムシャフト２・３の各ジャーナル軸部２ａ・３ａ、２ｂ・３ｂ、２ｃ・３ｃ、２ｄ・３ｄ、２ｅ・３ｅを支持しつつ、カムハウジング１１をシリンダヘッド１の取付面１ａの所定位置に仮配置する（ＳＴＥＰ−３０１）。
【００７０】
（カムシャフト保持工程）
次に、図１０（ａ）に示す如く、各カムシャフト２・３を、保持装置１８・１９によって保持させる（ＳＴＥＰ−３０２）。
保持装置１８は、第一カムシャフト２を所定の軸心方向に向けた状態で保持するとともに、第一カムシャフト２を所定の方向に変位させることができる装置であり、第一カムシャフト２を保持するためのチャック１８ａと、該チャック１８ａを所定の方向に変位させることができる変位装置１８ｂを備えるものである。
また同様に、保持装置１９は、第二カムシャフト３を所定の軸心方向に向けた状態で保持するとともに、第二カムシャフト３を所定の方向に変位させることができる装置であり、第二カムシャフト３を保持するためのチャック１９ａと、該チャック１９ａを所定の方向に変位させることができる変位装置１９ｂを備えるものである。
【００７１】
そして、各保持装置１８・１９によって、各カムシャフト２・３を各チャック１８ａ・１９ａによって保持することによって、各カムシャフト２・３を、設計上の軸心Ｘ１・Ｘ２に対して平行に（即ち、各支持孔６ａ・６ｂ、７ａ・７ｂ、８ａ・８ｂ、９ａ・９ｂ、１０ａ・１０ｂの所望する軸心方向に対して平行に）保持することができる構成としている。尚、各変位装置１８ｂ・１９ｂは、往復方向に変位する部位を備える装置（例えば、アクチュエータや油圧シリンダ等）によって構成することができる。
【００７２】
（押圧工程）
次に、各チャック１８ａ・１９ａによって、各カムシャフト２・３を、各支持孔６ａ・６ｂ、７ａ・７ｂ、８ａ・８ｂ、９ａ・９ｂ、１０ａ・１０ｂの所望する軸心方向に対して平行に保持しつつ、変位装置１８ｂによって、第一カムシャフト２を、該第一カムシャフト２の軸心Ｘ１に対して垂直で、かつ、シリンダヘッド１におけるカムハウジング１１の取付面１ａに平行な向きである矢印Ｐの方向に変位させるとともに、変位装置１９ｂによって、第二カムシャフト３を、該第二カムシャフト３の軸心Ｘ２に対して垂直で、かつ、シリンダヘッド１におけるカムハウジング１１の取付面１ａに平行な向きである矢印Ｑの方向に変位させる（ＳＴＥＰ−３０３）。
尚、ここでは、各カムシャフト２・３の変位方向である矢印ＰおよびＱの各方向は、図１０（ａ）（ｂ）に示すように、互いに相対する外側向きの変位方向としている。
【００７３】
このときの各カムシャフト２・３の変位量は、各カムシャフト２・３と各支持孔６ａ・６ｂ、７ａ・７ｂ、８ａ・８ｂ、９ａ・９ｂ、１０ａ・１０ｂの間で設定しているクリアランスの量以上としている。
【００７４】
これにより、図１０（ｂ）に示す如く、各ジャーナル軸部２ａ・３ａ、２ｂ・３ｂ、２ｃ・３ｃ、２ｄ・３ｄ、２ｅ・３ｅの各外周面によって、対応する各支持孔６ａ・６ｂ、７ａ・７ｂ、８ａ・８ｂ、９ａ・９ｂ、１０ａ・１０ｂの各内周面を、各カムシャフト２・３の設計上の軸心Ｘ１・Ｘ２に対して垂直な方向で、かつ、シリンダヘッド１におけるカムハウジング１１の取付面１ａに平行な方向に押圧させることができる。
【００７５】
このとき、各支持孔６ａ・６ｂ、７ａ・７ｂ、８ａ・８ｂ、９ａ・９ｂ、１０ａ・１０ｂの各内周面は、対応する各ジャーナル軸部２ａ・３ａ、２ｂ・３ｂ、２ｃ・３ｃ、２ｄ・３ｄ、２ｅ・３ｅの各外周面に沿うようになるため、平面視における各ジャーナル支持部６・７・８・９・１０の角度が、各カムシャフト２・３の軸心Ｘ１・Ｘ２と各支持孔６ａ・６ｂ、７ａ・７ｂ、８ａ・８ｂ、９ａ・９ｂ、１０ａ・１０ｂの軸心が略平行となるように修正される。
これにより、各支持孔６ａ・７ａ・８ａ・９ａ・１０ａの同軸度および各支持孔６ｂ・７ｂ・８ｂ・９ｂ・１０ｂの同軸度を確保することができる。
【００７６】
このように、発明の第三の実施形態に係るカムハウジングの組み付け方法は、各カムシャフト２・３を変位させる各変位装置１８ｂ・１９ｂを備えた各保持装置１８・１９のみによって実現することができ、前述した第一および第二の実施形態に係るカムハウジングの組み付け方法のように、各ジャーナル支持部を押圧するための変位装置と、各カムシャフトを保持するための保持装置を必要とする構成に比して、簡易な装置構成で、各支持孔６ａ・７ａ・８ａ・９ａ・１０ａの同軸度および各支持孔６ｂ・７ｂ・８ｂ・９ｂ・１０ｂの同軸度を、確実に確保することができる。
【００７７】
（シリンダヘッド固定工程）
そして、図９に示す如く、各ジャーナル軸部２ａ・３ａ、２ｂ・３ｂ、２ｃ・３ｃ、２ｄ・３ｄ、２ｅ・３ｅの各外周面によって、対応する各支持孔６ａ・６ｂ、７ａ・７ｂ、８ａ・８ｂ、９ａ・９ｂ、１０ａ・１０ｂの各内周面を押圧した状態（即ち、各支持孔６ａ・７ａ・８ａ・９ａ・１０ａの同軸度および各支持孔６ｂ・７ｂ・８ｂ・９ｂ・１０ｂの同軸度を確保した状態）でボルト等を締結することにより、各ジャーナル支持部６・７・８・９・１０をシリンダヘッド１に対して固定して、カムハウジング１１の組み付け工程を完了する（ＳＴＥＰ−３０４）。
【００７８】
即ち、本発明の第三の実施形態に係るカムハウジングの組み付け方法においては、各ジャーナル軸部２ａ・３ａ、２ｂ・３ｂ、２ｃ・３ｃ、２ｄ・３ｄ、２ｅ・３ｅの各外周面と、各ジャーナル軸部２ａ・３ａ、２ｂ・３ｂ、２ｃ・３ｃ、２ｄ・３ｄ、２ｅ・３ｅに対応する各支持孔６ａ・６ｂ、７ａ・７ｂ、８ａ・８ｂ、９ａ・９ｂ、１０ａ・１０ｂの各内周面を、各カムシャフト２・３の設計上の軸心Ｘ１・Ｘ２に対して垂直で、かつ、シリンダヘッド１における各ジャーナル支持部６・７・８・９・１０の取付面１ａに対して平行な向きに互いを押圧させる工程（即ち、押圧工程）において、変位装置１８ｂ・１９ｂによって、各カムシャフト２・３を、該各カムシャフト２・３の設計上の軸心Ｘ１・Ｘ２に対して垂直で、かつ、シリンダヘッド１における各ジャーナル支持部６・７・８・９・１０の取付面１ａに対して平行な方向（即ち、矢印ＰおよびＱの方向）に変位させて、各ジャーナル軸部２ａ・３ａ、２ｂ・３ｂ、２ｃ・３ｃ、２ｄ・３ｄ、２ｅ・３ｅの各外周面を、各支持孔６ａ・６ｂ、７ａ・７ｂ、８ａ・８ｂ、９ａ・９ｂ、１０ａ・１０ｂの各内周面に押圧させるものである。
このような構成により、簡易な変位装置１８ｂ・１９ｂを用いて、各支持孔６ａ・７ａ・８ａ・９ａ・１０ａの同軸度および各支持孔６ｂ・７ｂ・８ｂ・９ｂ・１０ｂの同軸度を確保することができる。
【００７９】
尚、本実施形態では、各保持装置１８・１９によって、各カムシャフト２・３を回転させずにシリンダヘッド１にカムハウジング１１を組み付ける構成としているが、保持装置１８・１９が備えるチャック１８ａ・１９ａが図示しない駆動軸等によって回転駆動される構成として、各カムシャフト２・３を回転させつつ、シリンダヘッド１にカムハウジング１１を組み付ける構成とすることも可能であり、これにより、より確実に、各支持孔６ａ・７ａ・８ａ・９ａ・１０ａの同軸度および各支持孔６ｂ・７ｂ・８ｂ・９ｂ・１０ｂの同軸度を確保することができる。
【００８０】
また、各カムシャフト２・３の変位方向は、図１０（ａ）（ｂ）に示すように、互いに相対する外側向きの変位方向とする場合に限られず、図１１（ａ）（ｂ）に示すように、変位装置１８ｂによって、第一カムシャフト２を、該第一カムシャフト２の設計上の軸心Ｘ１に対して垂直で、かつ、シリンダヘッド１におけるカムハウジング１１の取付面１ａに平行な内側向きである矢印Ｑの方向に変位させるとともに、変位装置１９ｂによって、第二カムシャフト３を、該第二カムシャフト３の設計上の軸心Ｘ２に対して垂直で、かつ、シリンダヘッド１におけるカムハウジング１１の取付面１ａに平行な内側向きである矢印Ｐの方向に変位させて、互いに相対する内側向きの変位方向とすることも可能である。
【００８１】
即ち、本発明の第三の実施形態に係るカムハウジングの組み付け方法においては、カムハウジング１１によって二本の各カムシャフト２・３を支持する構成である場合には、押圧工程において、変位装置１８ｂによって、一方の第一カムシャフト２を、該一方の第一カムシャフト２の軸心Ｘ１に対して垂直な方向で、かつ、シリンダヘッド１における各ジャーナル支持部６・７・８・９・１０の取付面１ａに対して平行な第一の方向（例えば、矢印Ｐの方向）に押圧するとともに、変位装置１９ｂによって、他方のカムシャフト３を、該他方のカムシャフト３の軸心Ｘ２に対して垂直な方向で、かつ、シリンダヘッド１における各ジャーナル支持部６・７・８・９・１０の取付面１ａに対して平行な前記第一の方向と逆向きの第二の方向（この場合、矢印Ｑの方向）に押圧させるものである。
このような構成により、簡易な変位装置１８ｂ・１９ｂを用いて、より確実に、各ジャーナル支持部６・７・８・９・１０の各支持孔６ａ・７ａ・８ａ・９ａ・１０ａの同軸度および各支持孔６ｂ・７ｂ・８ｂ・９ｂ・１０ｂの同軸度を確保することができる。
【００８２】
さらに、各カムシャフト２・３を変位させる態様は、図１０および図１１に示すように、一定の方向（矢印Ｐあるいは矢印Ｑの方向）に変位させる態様に限られず、図１２（ａ）（ｂ）に示すように、各カムシャフト２・３を矢印ＰおよびＱの各方向に往復変位させる態様とすることも可能である。この場合、互いの変位方向が常に逆向きとなるようにしている。
またこの場合、少なくとも一回以上、各カムシャフト２・３を往復変位させて、各カムシャフト２・３によって相対する二方向に各ジャーナル支持部６・７・８・９・１０を押圧した後に、各ジャーナル軸部２ａ・３ａ、２ｂ・３ｂ、２ｃ・３ｃ、２ｄ・３ｄ、２ｅ・３ｅの各外周面によって、対応する各支持孔６ａ・６ｂ、７ａ・７ｂ、８ａ・８ｂ、９ａ・９ｂ、１０ａ・１０ｂの各内周面を矢印Ｐあるいは矢印Ｑの方向に押圧する状態に保持する。
【００８３】
即ち、本発明の第三の実施形態に係るカムハウジングの組み付け方法においては、押圧工程において、変位装置１８ｂ・１９ｂによって、各カムシャフト２・３を、該各カムシャフト２・３の軸心Ｘ１・Ｘ２に対して垂直で、かつ、シリンダヘッド１における各ジャーナル支持部６・７・８・９・１０の取付面１ａに対して平行な方向（矢印Ｐおよび矢印Ｑの方向）に往復変位させて、各ジャーナル軸部２ａ・３ａ、２ｂ・３ｂ、２ｃ・３ｃ、２ｄ・３ｄ、２ｅ・３ｅの各外周面を、各支持孔６ａ・６ｂ、７ａ・７ｂ、８ａ・８ｂ、９ａ・９ｂ、１０ａ・１０ｂの各内周面に相対する二方向（矢印Ｐおよび矢印Ｑの方向）に押圧させるものである。
このような構成により、簡易な変位装置１８ｂ・１９ｂを用いて、より確実に、各ジャーナル支持部６・７・８・９・１０の各支持孔６ａ・７ａ・８ａ・９ａ・１０ａの同軸度および各支持孔６ｂ・７ｂ・８ｂ・９ｂ・１０ｂの同軸度を確保することができる。
【００８４】
尚、本実施形態では、各カムシャフト２・３にそれぞれ対応する各保持装置１８・１９を備える構成としているが、各カムシャフト２・３を往復変位させる態様とする場合には、保持装置をいずれか一方のカムシャフトに対してのみ（即ち、保持装置１８か保持装置１９のいずれか一方）備える構成とすることも可能である。
【００８５】
即ち、本発明の第一〜第三実施形態に係るカムハウジングの組み付け方法においては、シリンダヘッド１に対して各カムシャフト２・３を支持するための部品であり、各カムシャフト２・３の軸方向の異なる位置に形成される複数の各ジャーナル軸部２ａ・３ａ、２ｂ・３ｂ、２ｃ・３ｃ、２ｄ・３ｄ、２ｅ・３ｅを支持する複数の各ジャーナル支持部６・７・８・９・１０を備えるとともに、各ジャーナル支持部６・７・８・９・１０を該各ジャーナル支持部６・７・８・９・１０ごとに分割する構成のカムハウジング１１の組み付け方法であって、各カムシャフト２・３を各ジャーナル支持部６・７・８・９・１０に形成される前記複数の各支持孔６ａ・６ｂ、７ａ・７ｂ、８ａ・８ｂ、９ａ・９ｂ、１０ａ・１０ｂで支持しつつ、カムハウジング１１をシリンダヘッド１の所定位置（取付面１ａ）に仮配置する工程（即ち、シリンダヘッド仮配置工程）と、各ジャーナル軸部２ａ・３ａ、２ｂ・３ｂ、２ｃ・３ｃ、２ｄ・３ｄ、２ｅ・３ｅの各外周面と、各ジャーナル軸部２ａ・３ａ、２ｂ・３ｂ、２ｃ・３ｃ、２ｄ・３ｄ、２ｅ・３ｅに対応する各支持孔６ａ・６ｂ、７ａ・７ｂ、８ａ・８ｂ、９ａ・９ｂ、１０ａ・１０ｂの各内周面を、各カムシャフト２・３の軸心Ｘ１・Ｘ２に対して垂直で、かつ、シリンダヘッド１における各ジャーナル支持部６・７・８・９・１０の取付面１ａに対して平行な向きに互いを押圧させる工程（即ち、押圧工程）と、各ジャーナル軸部２ａ・３ａ、２ｂ・３ｂ、２ｃ・３ｃ、２ｄ・３ｄ、２ｅ・３ｅの各外周面と各支持孔６ａ・６ｂ、７ａ・７ｂ、８ａ・８ｂ、９ａ・９ｂ、１０ａ・１０ｂの各内周面を押圧させながら、カムハウジング１１をシリンダヘッド１に固定する工程（即ち、シリンダヘッド固定工程）と、を備えるものである。
このような構成により、各ジャーナル支持部６・７・８・９・１０が各カムシャフト２・３の軸心Ｘ１・Ｘ２に直交する平面に対して傾斜した状態でシリンダヘッド１に組み付けられることが防止でき、各ジャーナル支持部６・７・８・９・１０の各支持孔６ａ・７ａ・８ａ・９ａ・１０ａの同軸度および各支持孔６ｂ・７ｂ・８ｂ・９ｂ・１０ｂの同軸度を確保することができる。
【符号の説明】
【００８６】
１      シリンダヘッド
２      第一カムシャフト
２ａ    第一ジャーナル軸部
２ｂ    第二ジャーナル軸部
２ｃ    第三ジャーナル軸部
２ｄ    第四ジャーナル軸部
２ｅ    第五ジャーナル軸部
３      第二カムシャフト
３ａ    第一ジャーナル軸部
３ｂ    第二ジャーナル軸部
３ｃ    第三ジャーナル軸部
３ｄ    第四ジャーナル軸部
３ｅ    第五ジャーナル軸部
４      カムキャリア
５      カムキャップ
６      第一ジャーナル支持部
６ａ    支持孔
６ｂ    支持孔
７      第二ジャーナル支持部
７ａ    支持孔
７ｂ    支持孔
８      第三ジャーナル支持部
８ａ    支持孔
８ｂ    支持孔
９      第四ジャーナル支持部
９ａ    支持孔
９ｂ    支持孔
１０    第五ジャーナル支持部
１０ａ  支持孔
１０ｂ  支持孔
１１    カムハウジング
【図１】
2011149336.tif 000003
【図２】
2011149336.tif 000004
【図３】
2011149336.tif 000005
【図４】
2011149336.tif 000006
【図５】
2011149336.tif 000007
【図６】
2011149336.tif 000008
【図７】
2011149336.tif 000009
【図８】
2011149336.tif 000010
【図９】
2011149336.tif 000011
【図１０】
2011149336.tif 000012
【図１１】
2011149336.tif 000013
【図１２】
2011149336.tif 000014